(57)【要約】      （修正有）【課題】外反母趾を予防し且つ歩行姿勢を改善するとともに履き心地が良好である足袋型フットカバーを提供する。  【解決手段】カバー爪先部には着用者の親指と他の四指とを分ける深い凹み部５を設けて足袋のように二股状になり、非着用時にカバー親指部７と他の四指部８との間に所定の間隙１０を有し、カバー足甲部１２、両側辺部および踵部１６および足裏部１８が高伸縮性の編地からなることにより、着用者の親指と第２指との間の指間腔に違和感が生じず、親指付近の全周に密接することで歩行時にその付け根に捩れた力が掛かることを防ぐ。【選択図】図２
0003228866.tif 000002
【実用新案登録請求の範囲】
【請求項１】
着用者が足に履いた際に足甲部の一部または大半および足首部が露出するフットカバーであって、カバー爪先部には着用者の親指と他の四指とを分ける深い凹み部を設けて足袋のように二股状になり、非着用時にカバー親指部と他の四指部との間に所定の間隙を有し、カバー足甲部、両側辺部および踵部および足裏部が高伸縮性の編地からなることにより、着用者の親指と第２指との間の指間腔に違和感が生じず、親指付近の全周に密接することで歩行時にその付け根に捩れた力が掛かることを防ぐ足袋型フットカバー。
【請求項２】
着用者が足に履いた際に足甲部の一部または大半および足首部が露出するフットカバーであって、カバー爪先部には着用者の親指と他の四指とを分ける深い凹み部を設けて足袋のように二股状になり、カバー足甲部、両側辺部および踵部および足裏部が高伸縮性の編地からなり、該足裏部は吸水性が良好な内面編地と比較的厚手の外面編地との二重地であり、着用者の足の汗を足裏部の内面編地で吸収するとともに足裏部の外面編地によって履き心地が良くなり、しかも親指付近の全周に密接することで歩行時にその付け根に捩れた力が掛かることを防ぐ足袋型フットカバー。
【請求項３】
着用者が足に履いた際に足甲部の一部または大半および足首部が露出するフットカバーであって、カバー爪先部には着用者２の親指と他の四指とを分ける深い凹み部を設けて足袋のように二股状になり、カバー足甲部、両側辺部および踵部および足裏部が高伸縮性の編地からなり、足を出し入れするための上方開口部の環状周縁の内側に伸縮性テープを貼着するとともに、踵部内側に粘着性を備える横長の広幅樹脂部および該広幅樹脂部の下方に１対の円形樹脂部を形成することにより、カバー全体が高伸縮性であっても着用者の親指および他の四指の動きによって脱げることが少ない足袋型フットカバー。
【請求項４】
着用者の親指と他の四指とを分ける深い凹み部は非着用時に全長が２５〜３５ｍｍであり、その後端部を半円形平面に縫製するとともに非着用時に両側部が７〜１５ｍｍの間隙を有し、カバー着用時に着用者の親指および付け根の全周と密接しても、後端部の半円形縫製によって着用時に違和感が生じない請求項１から３のいずれかに記載のフットカバー。
【請求項５】
カバー足甲部、両側辺部および踵部はポリウレタンの芯糸にナイロン糸を巻き付けた細い編糸で編成し、足裏部の内面編地はポリウレタンの芯糸に綿糸を巻き付けた編糸で編成し、足裏部の外面編地はポリウレタンの芯糸にポリエステル糸を巻き付けた編糸で編成した半パイル地である請求項２記載のフットカバー。
【請求項６】
上方開口部の周縁内側に環状に貼着して設けた伸縮性テープは幅が８〜１２ｍｍであり、広幅樹脂部は横幅が４０〜５０ｍｍであって開口部周縁に近接させて形成し、さらに１対の円形樹脂部は直径が１０〜１５ｍｍであって広幅樹脂部の下方においてその両端辺と近接させて配置する請求項３記載のフットカバー。
【考案の詳細な説明】
【技術分野】
【０００１】
本考案は、外反母趾を予防し且つ歩行姿勢を改善するとともに履き心地が良好である足袋型フットカバーに関する。
【背景技術】
【０００２】
フットカバーは短い靴下の一種であり、ソックスカバー、インナーソックス、カバーソックスとも称する。フットカバーを履くと、通常、足裏部、足甲部、両側辺部および踵部を覆うけれども、足甲部の大半および足首部は露出することにより、着用時にパンプスやスニーカーからフットカバーの一部が外部から見えない。この種のフットカバーは、通常の靴下と同様に、親指および他の四指の全体を包み込む半円形状の爪先部を有し、靴着用時にフットカバーが外部から見えないように、履き口の上方開口部が大きくカットされている。
【０００３】
通常のフットカバーにおいて、親指および他の四指の全体を包み込む略半円形状の爪先部を有する例として、特開平６-２２０７０３号、特開平９-５９８０４号、特開平１０-２９２２０６号、特開２０１６-１６０５４５号などが存在する。フットカバーが全足指を包み込む爪先部を有すると、該フットカバーの着用時に着用者の親指は、靴下着用と同様に第２指の方へ押されて親指の付け根が曲がるので、フットカバーを着用しても外反母趾を予防し且つ歩行姿勢を改善するような効果は期待できない。
【０００４】
一方、フットカバー履き口の上方開口部が大きくカットされるので歩行時に脱げやすいという欠陥を改善するために、特開平１０−２９２２０６号では、踵当接部の内面において、ゴムやシリコーンゴムなどの突起状弾性体またはシートである摩擦付与体を取り付ける。特開２０１４−１３３９５２号では、踵部および上方開口部近辺の側辺部において、その表側および裏側に伸縮性の細幅生地を設けている。特開２０１５−１３７４２６号では、踵部および上方開口部近辺の側辺部において、伸縮性および粘着性を有するシリコーンテープを接着剤で接着したりシルク印刷で形成する。
【先行技術文献】
【特許文献】
【０００５】
【特許文献１】特開平６-２２０７０３号公報
【特許文献２】特開平９-５９８０４号公報
【特許文献３】特開平１０-２９２２０６号公報
【特許文献４】特開２０１６-１６０５４５号公報
【特許文献５】特開２０１４−１３３９５２号公報
【特許文献６】特開２０１５−１３７４２６号公報
【考案の概要】
【考案が解決しようとする課題】
【０００６】
この種のフットカバーにおいて、その爪先部が全足指を包み込む略半円形状平面でなく、カバー爪先部が多少二股状になっていたとしても、浅くて単純な二股であると着用者の親指と第２指との間の指間腔までカバー編地が到達せず、着用時に親指が他の四指の方へ押されてしまうのは通常の靴下と同様である。このため、この種のフットカバーを着用しても、歩行時に足に体重が掛かると足全体の均衡を保とうとして親指の付け根に捩れた力が掛かり、その力を逃すために関節が内側に変形して外反母趾となりやすく、または歩行姿勢を改善するような効果は殆ど発揮できない。
【０００７】
一方、歩行時に脱げやすいという欠陥を改善するフットカバーについて、特開平１０−２９２２０６号は、踵当接部の内面に取り付けた摩擦付与体だけでフットカバーの脱落や履き位置ズレを防ぐため、脱落や履き位置ズレを完全に防止することはできない。特開２０１４−１３３９５２号および特開２０１５−１３７４２６号は、踵部および上方開口部近辺の側辺部において、伸縮性の細幅生地または帯状のシリコーン部を設けるので、細幅生地やシリコーンテープがある程度の幅と厚みを有することにより、足甲部を必要以上に締め付けてフットカバーの履き心地が低下する。
【０００８】
本考案は、従来のフットカバーに関する前記の問題点を改善するために提案されたものであり、外反母趾を予防し且つ歩行姿勢を改善することが可能である足袋型フットカバーを提供することを目的としている。本考案の他の目的は、足の発汗の有無に拘わらず、履き心地が良好である足袋型フットカバーを提供することである。本考案の別の目的は、カバー全体が高伸縮性であっても、着用者の歩行時などに脱げることがない足袋型フットカバーを提供することである。
【課題を解決するための手段】
【０００９】
本考案に係る足袋型フットカバーは、着用者が足に履いた際に足甲部の一部または大半および足首部が露出する。本考案に係る足袋型フットカバーでは、カバー爪先部には着用者の親指と他の四指とを分ける深い凹み部を設けるので足袋のように二股状になり、非着用時にカバー親指部と他の四指部との間に所定の間隙を有し、カバー足甲部、両側辺部および踵部および足裏部が高伸縮性の編地からなることにより、着用者の親指と第２指との間の指間腔に違和感が生じず、親指付近の全周に密接することで歩行時にその付け根に捩れた力が掛かることを防ぐ。
【００１０】
本考案に係る足袋型フットカバーにおいて、着用者の親指と他の四指とを分ける深い凹み部は非着用時に全長が３０〜４０ｍｍであり、その後端部を半円形平面に縫製するとともに両側部が非着用時に７〜１５ｍｍの間隙を有すると好ましい。この結果、カバー着用時に着用者の親指および付け根の全周と密接しても、後端部の半円形縫製によって着用時に違和感が生じない。
【００１１】
本考案に係る足袋型フットカバーでは、足裏部は吸水性が良好な内面編地と比較的厚手の外面編地との二重地であり、着用者の足の汗を足裏部の内面編地で吸収するとともに足裏部の外面編地によって履き心地が良くなり、しかも親指付近の全周に密接することで歩行時にその付け根に捩れた力が掛かることを防ぐ。この足袋型フットカバーにおいて、カバー足甲部、両側辺部および踵部はポリウレタンの芯糸にナイロン糸を巻き付けた細い編糸で編成し、足裏部の内面編地はポリウレタンの芯糸に綿糸を巻き付けた編糸で編成し、足裏部の外面編地はポリウレタンの芯糸にポリエステル糸を巻き付けた編糸で編成した半パイル地であると好ましい。
【００１２】
本考案に係る足袋型フットカバーでは、足を出し入れするための上方開口部の周縁の内側に伸縮性テープを貼着するとともに、踵部内側に粘着性を備える横長の広幅樹脂部および該広幅樹脂部の下方に１対の円形樹脂部を形成することにより、カバー全体が高伸縮性であっても着用者の親指および他の四指の動きによって脱げることが少ない。この足袋型フットカバーにおいて、上方開口部の周縁内側に環状に貼着して設けた伸縮性テープは幅が８〜１２ｍｍであり、広幅樹脂部は横幅が４０〜５０ｍｍであって開口部周縁に近接させて形成し、さらに１対の円形樹脂部は直径が１０〜１５ｍｍであって広幅樹脂部の下方においてその両端辺と近接させて配置すると好ましい。
【考案の効果】
【００１３】
本考案に係る足袋型フットカバーは、カバー爪先部に着用者の親指と他の四指とを分ける深い凹み部を設けて足袋のように二股状になっており、着用者の親指と第２指との間に指間腔が確実に保持され、カバー編地が着用者の親指およびその付け根付近の全周に密接する。本考案のフットカバーを着用すると、着用者の歩行時に足に体重が掛かると親指を外方へ動かして足全体の均衡を保つことができ、この際にカバー編地が着用者の親指付け根付近の全周に密接しているので、足全体の均衡を保つための捩れた力は殆ど発生しない。この結果、前記の捩れた力による足の関節が内側に変形することを防ぐことで外反母趾を予防することができ、さらに着用者の歩行姿勢を改善するような効果を発揮できる。
【００１４】
本考案に係る足袋型フットカバーは、カバー足甲部、両側辺部および踵部および足裏部が高伸縮性の編地からなり、足裏部は吸水性が良好な内面編地と比較的厚手の外面編地との二重地である。本考案の足袋型フットカバーは、着用者の足の汗を足裏部の内面編地で吸収するとともに足裏部の外面編地によって履き心地が良好である。また、本考案の足袋型フットカバーは、上方開口部の周縁の内側に伸縮性テープを貼着するとともに、踵部内側に粘着性を備える横長の広幅樹脂部および該広幅樹脂部の下方に１対の円形樹脂部を形成する。本考案の足袋型フットカバーは、カバー全体が高伸縮性であっても着用者の親指および他の四指の動きによって脱げることが少ないという利点がある。
【図面の簡単な説明】
【００１５】
【図１】本考案に係る足袋型フットカバーを示す全体斜視図である。
【図２】図１の女性用の足袋型フットカバーを示す平面図である。
【図３】図１の足袋型フットカバーの裏面を示す平面図である。
【図４】男性用の足袋型フットカバーを示す平面図である。
【図５】図１のフットカバーの足裏部を拡大して示す部分断面図である。
【図６】カバー開口部の周縁における踵部内面を拡大して示す部分平面図である。
【考案を実施するための形態】
【００１６】
本考案に係る足袋型フットカバー１は、着用者２が足に履いた際には、図１に示すような立体形状になり、着用者２の足甲部の一部または大半および足首部が露出し、非着用状態では図２に示すように折り畳まれてほぼ平らになる。フットカバー１の爪先部３は、着用者２の親指と他の四指とを分ける深い凹み部５を設けて足袋のように二股状になり、図２のような非着用時には、カバー親指部７と他の四指部８との間に所定の間隙１０が存在する。
【００１７】
図２に示すカバー非着用状態において、着用者２の親指と他の四指とを分ける深い凹み部５は全長が２５〜３５ｍｍであると好ましい。凹み部５の全長が２５〜３５ｍｍであると、カバー全体が高伸縮性編地であるから、この編地が着用者２の親指およびその付け根まで確実に覆うことになる。また、カバー親指部７と他の四指部８との間隙１０は７〜１５ｍｍであり、凹み部５の後端部１１を半円形に縫製することにより、足袋のような平面形状であるとカバー編地の親指部内周が着用者の親指の円周よりも小さくなり、該カバー編地が着用者２の親指および付け根の全周を軽く締め付けるとともに、後端部１１の半円形縫製によって着用時に違和感が生じない。
【００１８】
フットカバー１において、足甲部１２、両側辺部１４，１４および踵部１６および足裏部１８は総て高伸縮性の編地からなり、その伸縮率は約３０％以上であると好ましく、例えば、非着用時に足裏部１８の縦寸は図２と図３の女性用で１８ｃｍ、図４の男性用で１９ｃｍに定めればよい。一般に、足甲部１２、両側辺部１４，１４および踵部１６を含む編地片は、ポリウレタンの芯糸にナイロン糸を巻き付けた細い編糸で編成すると好ましく、薄くて柔らかい編地であるので着用時に違和感が少ない。
【００１９】
また、足裏部１８（図３）は、図５に示すように吸水性が良好な内面編地２０と比較的厚手の外面編地２２との二重地であると好ましく、着用者２の足の汗を足裏部１８の内面編地２０で吸収するとともに足裏部１８の外面編地２２によって履き心地が良好になる。例えば、足裏部１８の内面編地２０はポリウレタンの芯糸に綿糸を巻き付けた編糸で編成し、足裏部１８の外面編地２２はポリウレタンの芯糸にポリエステル糸を巻き付けた編糸で編成した半パイル地であると好ましく、半パイル地であると足裏部１８のクッション性が良化しても厚みが大して増加しない。
【００２０】
フットカバー１は、通常、複数片の編地片を縫製して形成される。例えば、二重地である足形平面の足裏部１８と、足甲部１２、両側辺部１４，１４および踵部１６を含む細長い編地片とを別個に編成し、その細長い編地片の下辺を足裏部１８の周囲に縫着線２４で縫着し、さらにその両側縁を縫着線２６で縫着すればよい。この結果、足裏部１８の全周囲に縫着線２４が形成され、さらに踵部１６の中央において高さ方向に縫着線２６が形成される。縫着線２４，２６は、従来の一針三本線縫いでなく、松線縫いにすることによって平らに近くなるので、硬くて高い縫着線による着用時の痛み発生を回避する。
【００２１】
フットカバー１は、図１に示すように、着用者２の足の足裏部、両側辺部および踵部を覆い、該足甲部の一部または大半および足首部を露出させる。フットカバー１は、図２のような女性用であれば着用時にパンプスなどの靴から露出しないように足甲部１２が狭くて上方開口部２８が大きく開き、図４のような男性用であれば足甲部３０が広くても革靴から露出しないので上方開口部３２は比較的小径でよい。例えば、女性用の足甲部１２はカバー爪先から５０ｍｍの長さを有し、男性用の足甲部３０はカバー爪先から１００ｍｍの長さを有する。
【００２２】
フットカバー１では、上方開口部２８または３２の環状周縁の内側に沿って薄編地の伸縮性テープ３４または３６を接着剤で貼着すると好ましく、該テープによって上方開口部２８または３２の広がりを規制し、フットカバー１が着用時に脱げることを防止する。伸縮性テープ３４または３６は、幅が８〜１２ｍｍであって足甲部１２と同一または類似の編地であればよい。伸縮性テープ３４または３６は、別個に編成した足甲部１２、両側辺部１４，１４および踵部１６を含む細長い編地片の上縁内側に沿って貼着し、該編地片の両側縁を縫着線２６で縫着することによって上方開口部２８または３２の周縁内側に環状に形成される。
【００２３】
フットカバー１において、図１と図６に示すように、踵部１６の内側に粘着性を備える横長の広幅樹脂部３８および該広幅樹脂部の下方に１対の円形樹脂部４０，４２を形成すると好ましい。これらの樹脂部３８，４０，４２は、同一または異なるシリコーン樹脂または他の粘着性樹脂からなり、シルクスクリーン機による厚盛り印刷、凸版や凹版印刷機による印刷、テープ状素材の熱融着などによって形成する。例えば、これらの樹脂部３８，４０，４２は、シロキサン結合を骨格とするシリコーン樹脂によって構成する。シリコーン樹脂は、離型性および消泡性が優れているので、例えば、ロータリーまたは扇型スクリーン印刷機などによる厚盛り印刷が容易であり、樹脂部の厚さを約８０〜３５０μｍに設定すると、使用樹脂量が少なく且つ足袋型フットカバー１の編地との違和感が小さくなるので好ましい。
【００２４】
広幅樹脂部３８は、上方開口部２８または３２の後方周縁に近接させて形成し、実際には周縁より３ｍｍ程度下方であればよい。広幅樹脂部３８は、その幅が１０ｍｍ前後、長さが４０〜５０ｍｍであると好ましく、横幅４０ｍｍ未満であると滑り止め効果が不足し、横幅５０ｍｍを越えるとカバー着用時に違和感が生じやすい。
【００２５】
また、１対の円形樹脂部４０，４２の平面形状は同一または異なり、該円形樹脂部の一方または両方は円形平面のほかに楕円形，円環状や多角形平面などでもよい。円形樹脂部４０，４２は直径が１０〜１５ｍｍであると好ましく、直径１０ｍｍ未満であると滑り止め効果が小さく、直径１５ｍｍを越えると伸縮性を阻害することが生じ且つ着用時の感触も悪くなる。円形樹脂部４０，４２は、図６に示すように、広幅樹脂部３８の下方においてその両端辺と近接させて配置し、通常は両者の間に数ｍｍの間隙を有すると好ましい。
【００２６】
広幅樹脂部３８および円形樹脂部４０，４２は、扇型スクリーン印刷機などによってフットカバー１の踵部内側に直接厚盛り印刷しても、これらの樹脂部３８，４０，４２を印刷・形成した矩形編地４４を踵部１６の内側に接着剤で貼着してもよい。矩形編地４４は足甲部１２の編地と同一または類似の編地であればよく、該矩形編地を貼着すると、踵部１６が適度に硬くなり且つ縫着線２６を大部分遮蔽できて履き心地も良くなる。
【００２７】
フットカバー１は、上方開口部２８の周縁の内側に伸縮性テープ３４を貼着するとともに、踵部内側に粘着性を備える横長の広幅樹脂部３８および該広幅樹脂部の下方に１対の円形樹脂部４０，４２を形成することにより、カバー全体が高伸縮性であっても着用者２の親指および他の四指の動きによって脱げることがない。また、テープ３４または３６および樹脂部３８，４０，４２は総て伸縮性を有するので、フットカバー１を着用した際の違和感は少ない。
【００２８】
フットカバー１は、カバー爪先部３に着用者２の親指と他の四指とを分ける深い凹み部５を設けることにより、着用者２の親指と第２指との間の指間腔に違和感が生じず、カバー編地が着用者２の親指およびその付け根付近の全周に確実に密接する。フットカバー１を着用すると、着用者２の歩行時に足に体重が掛かると自由な親指が外方へ動いて足全体の均衡を保ち、この際にカバー編地が着用者の親指付け根付近の全周に密接しているので、足全体の均衡を保つための捩れた力は殆ど発生せず、仮に多少発生しても親指の付け根だけに掛かることはない。フットカバー１は、前記の捩れた力による足の関節が内側に変形することを防ぐことで外反母趾を予防でき、さらに着用者の歩行姿勢を改善できる。
【実施例１】
【００２９】
次に、本考案を実施例に基づいて説明するが、本考案は実施例によって限定されるものではない。足袋型フットカバー１を製造するために、足甲部１２、両側辺部１４，１４および踵部１６を含む細長い編地片と、縦寸１８ｃｍの足形平面の足裏部１８とを別個に編成する。足裏部１８は、図３と図５に示すように綿を含む内面編地２０と半パイル地の外面編地２２との二重地であり、着用者２の足の汗を綿編地２０で吸収するとともに半パイル地の外面編地２２によって履き心地が良好になる。
【００３０】
足甲部１２、両側辺部１４，１４および踵部１６を含む細長い編地片において、上方開口部２８になる上縁の内側に沿って幅１０ｍｍの薄編地の伸縮性テープ３４を接着剤で貼着する。足甲部１２、両側辺部１４，１４および踵部１６を含む細長い編地片は、ポリウレタンの芯糸にナイロン糸を巻き付けた細い編糸で編成する。足裏部１８において、内面編地２０はポリウレタンの芯糸に綿糸を巻き付けた編糸で編成し、外面編地２２はポリウレタンの芯糸にポリエステル糸を巻き付けた編糸で編成した半パイル地である。
【００３１】
フットカバー１は、足甲部１２、両側辺部１４，１４および踵部１６を含む細長い編地片の下辺を二重地の足裏部１８の周囲に縫着線２４で環状に縫着し、さらにその両側縁を縫着線２６で縫着する。この結果、足裏部１８の全周囲に縫着線２４が形成され、さらに足周囲において高さ方向に縫着線２６が形成される。
【００３２】
フットカバー１では、図６に示すように、踵部１６の内側に粘着性を備える横長の広幅樹脂部３８および該広幅樹脂部の下方に１対の円形樹脂部４０，４２を形成する。このため、フットカバー１の踵部１６の内側に、広幅樹脂部３８および円形樹脂部４０，４２を印刷・形成した矩形編地４４を接着剤で貼着する。矩形編地４４は足甲部１２の編地と同一の編地であればよく、該矩形編地の貼着で形成すると、踵部１６が適度に硬くなり且つ縫着線２６を大部分遮蔽できて履き心地も良くなる。
【００３３】
これらの樹脂部３８，４０，４２は、シロキサン結合を骨格とするシリコーン樹脂からなり、シルクスクリーン機による厚盛り印刷によって形成する。樹脂部の厚さを適切に設定すると、使用樹脂量が少なく且つフットカバー１の編地との違和感が小さい。広幅樹脂部３８は、上方開口部２８の後方周縁より３ｍｍ程度下方に近接させて配置する。広幅樹脂部３８は、その幅が８ｍｍ、長さが５０ｍｍである。
【００３４】
また、１対の円形樹脂部４０，４２は直径が１２ｍｍであり、滑り止め効果を有するうえに着用時の感触も悪くない。円形樹脂部４０，４２は、図６に示すように、広幅樹脂部３８の下方においてその両端辺と数ｍｍの間隙で近接配置する。
【００３５】
図２に示すカバー非着用状態において、着用者２の親指と他の四指とを分ける深い凹み部５は全長が３０ｍｍであり、カバー全体が高伸縮性編地であるから、この編地が着用者の親指およびその付け根まで確実に覆う。また、カバー親指部７と他の四指部８との間隙１０は７ｍｍであり、凹み部５の後端部１１を半円形に縫製することにより、カバー編地が着用者２の親指および付け根の全周を軽く締め付けるとともに、後端部１１の半円形縫製によって着用時に違和感が生じない。
【００３６】
図１から図３に示すフットカバー１は、着用者２の足の足裏部１８、両側辺部１４，１４および踵部１６を覆い、足甲部１２の大半および足首部を露出させる。フットカバー１は全長１８０ｍｍの女性用であり、着用時にパンプスなどの靴から露出しないように足甲部１２が狭くて上方開口部２８が大きく開く。女性用であるから、足甲部１２はカバー爪先から５０ｍｍの長さを有する。
【実施例２】
【００３７】
図４に示すフットカバー４６を実施例１と同様に製造するために、足甲部１２、両側辺部１４，１４および踵部１６を含む細長い編地片と、足形平面の足裏部１８とを別個に編成し、この足甲部は実施例１のそれよりも縦寸が大きく、１９０ｍｍである。足裏部１８は、綿を含む内面編地２０と半パイル地の外面編地２２との二重地であり、着用者２の足の汗を内面編地２０で吸収するとともに半パイル地の外面編地２２によって履き心地が良好になる。
【００３８】
図４に示すフットカバー４６は、着用者２の足の足裏部１８、両側辺部１４，１４および踵部１６を覆い、着用者２の足甲部の一部および足首部を露出させる。フットカバー４６は全長１９０ｍｍの男性用であり、足甲部３０が広くても革靴から露出しないので上方開口部３２は比較的小径でよく、男性用であるから、足甲部３０はカバー爪先から１００ｍｍの長さを有する。
【符号の説明】
【００３９】
１  足袋型フットカバー  
２  着用者
３  爪先部
５  深い凹み部
７  カバー親指部
８  他の四指部
１０  間隙
１２  足甲部  
１４，１４  両側辺部  
１６  踵部
１８  足裏部
２０  内面編地
２２  外面編地
２４，２６  縫着線
３４  伸縮性テープ
３８  広幅樹脂部
４０，４２  円形樹脂部
【図１】
0003228866.tif 000003
【図２】
0003228866.tif 000004
【図３】
0003228866.tif 000005
【図４】
0003228866.tif 000006
【図５】
0003228866.tif 000007
【図６】
0003228866.tif 000008